(57)【要約】【課題】番組視聴中に他番組で放送される視聴者の趣向にあった番組の見逃しを防ぐことを目的とする。【解決手段】制御部８は、テレビ受信部２が出力するチャンネル情報と電子番組情報解析部６が解析したＥＰＧ情報と記憶部７が記憶するキーワードを判定し、ＥＰＧ情報とキーワードが合致する番組が放送されるとき、報知制御部９を制御し、報知部１０が報知することにより、視聴者は番組を視聴中に並行してキーワードに関連した番組が放送されることを知ることができる。【選択図】図１
2005033641.tif 000002
【特許請求の範囲】
【請求項１】
受信したテレビ信号から電子番組情報を解析する電子番組情報解析部と、
任意のキーワードを記憶する記憶部と、
テレビ信号を受信するテレビ受信部と、
前記テレビ受信部が出力するテレビ信号の内容を表示あるいは出力する視聴部と、
報知情報を出力する報知部と、
前記電子番組情報解析部の解析結果と前記記憶部が記憶するキーワードと前記テレビ受信部との状態に応じ前記報知部に対し報知情報の出力指示を行う報知制御部とを備え、
前記電子番組情報解析部が解析する番組情報中に前記記憶部が記憶するキーワードが合致する番組情報が存在し、かつ前記番組情報と異なる番組を前記テレビ受信部が出力している場合、前記報知制御部は報知情報を出力するように前記報知部に指示することを特徴とする自動番組検出装置。
【請求項２】
前記報知部は、視聴部の一部である請求項１に記載の自動番組検出装置。
【請求項３】
記憶部が記憶するキーワードを含む番組を電子番組情報解析部が解析した場合、前記報知部は前記番組の放送が開始される一定時間前に報知することを特徴とする請求項１に記載の自動番組検出装置。
【請求項４】
受信したテレビ信号から電子番組情報を解析する電子番組情報解析部と、
任意のキーワードを記憶する記憶部と、
視聴に用いる第１のテレビ受信部と、
記録に用いる少なくとも１つの第２のテレビ受信部と、
前記第１のテレビ受信部が出力するテレビ信号の内容を表示あるいは出力する視聴部と、前記第２のテレビ受信部が出力するテレビ信号を録画制御する少なくとも１つの録画制御部と、
前記録画制御部により録画内容が録画される少なくとも１つの録画メディアと、
前記電子番組情報解析部の解析結果と前記記憶部が記憶するキーワードと前記第１のテレビ受信部との状態に応じ前記第２のテレビ受信部と前記録画制御部を制御する制御部とを備え、
前記電子番組情報解析部が解析する番組情報に前記記憶部が記憶するキーワードが合致する番組情報が存在し、かつ前記番組情報と異なる番組を前記第１のテレビ受信部が出力している場合、前記制御部は前記番組情報に応じた番組を前記第２のテレビ受信部が受信するよう制御すると共に前記録画制御部が前記第２のテレビ受信部が出力するテレビ信号を前記録画メディアに録画するよう制御することを特徴とする自動番組検出装置。
【請求項５】
記憶部と、録画メディアは、共通の記録媒体である請求項４に記載の自動番組検出装置。
【発明の詳細な説明】
【技術分野】
【０００１】
本発明は、電子番組情報（以下、ＥＰＧと略す）を利用したテレビ受信装置に関し、特に自動的に番組を検出する自動番組検出装置に関するものである。
【背景技術】
【０００２】
従来、ＥＰＧを用いたテレビ受信装置には、特許文献１に開示されたものがある。その構成を図３に示す。図３において、２０１はリモートコントローラ、２０２はＩＣカード、２０３はパソコン、２０４はモニタ、２０５はマウス、２０６は赤外線受信部、２０７はネットワーク網、２０８はサーバ、２０９はテレビジョン受像機、２１０は赤外線送受信部、２１１はアンテナ、２１２は放送局アンテナ、２１３はビデオテープレコーダ、２１４は赤外線受信部である。以下、図３を参照しながら動作を説明する。
【０００３】
まず、放送局のアンテナ２１２から送信された電波は、テレビジョン受像機２１９のアンテナ２１１により捕捉される。テレビジョン受像機２１９は、アンテナ２１１により捕捉した電波からＥＰＧを抽出し、赤外線送受信部２１０によりリモートコントローラ２０１に対して送信する。リモートコントローラ２０１は、受信したＥＰＧをＬＣＤに表示し、所定の番組の選択待ち状態となる。所定の番組が選択された後、予約ボタンが操作されると、リモートコントローラ２０１は、ビデオテープレコーダ２１３に対して録画予約を行うための制御コマンドを送信する。ビデオテープレコーダ２１３は、これを赤外線受信部２１４により受信して、指定された番組の録画予約を行う。
【特許文献１】特開平１１−４１５６６号公報
【発明の開示】
【発明が解決しようとする課題】
【０００４】
テレビを視聴している時、裏番組として自分の趣向に応じた番組が放送されていることを知ることができない。またそのため裏番組で自分の趣向に応じた番組が放送されていても自動で録画することができなかった。
【課題を解決するための手段】
【０００５】
本発明の自動番組検出装置においては、任意のキーワードとＥＰＧを比較し、結果を表示したり、自動で録画するようにしたものである。
【０００６】
この本発明によれば、裏番組として自分の趣向に応じた番組が放送されることを知ることができ、また、自分の趣向に応じた番組を自動で録画することができる。
【発明の効果】
【０００７】
以上のように本発明によれば、テレビを視聴しているときに、自分の趣向に応じた番組が別のチャンネルで放送されていた場合、これを知ることができ、チャンネル選択を補助することができるという有利な効果が得られる。
【０００８】
また、テレビを視聴しているときに、自分の趣向に応じた番組が別のチャンネルで放送されていた場合、その放送を自動で録画することができ、見たい番組を見逃すことがないという有利な効果が得られる。
【発明を実施するための最良の形態】
【０００９】
本発明の請求項１に記載の発明は、受信したテレビ信号から電子番組情報を解析する電子番組情報解析部と、任意のキーワードを記憶する記憶部と、テレビ信号を受信するテレビ受信部と、前記テレビ受信部が出力するテレビ信号の内容を表示あるいは出力する視聴部と、報知情報を出力する報知部と、前記電子番組情報解析部の解析結果と前記記憶部が記憶するキーワードと前記テレビ受信部との状態に応じ前記報知部に対し報知情報の出力指示を行う報知制御部とを備え、前記電子番組情報解析部が解析する番組情報中に前記記憶部が記憶するキーワードが合致する番組情報が存在し、かつ前記番組情報と異なる番組を前記テレビ受信部が出力している場合、前記報知制御部は報知情報を出力するように前記報知部に指示することを特徴とする自動番組検出装置としたものであり、別番組を見ている場合でも、自分の趣向に応じた番組が放送されることを知ることができるという作用を有する。
【００１０】
本発明の請求項２に記載の発明は、報知部は、視聴部の一部である請求項１に記載の自動番組検出装置であり、報知部を効率的に構成することができるという作用を有する。
【００１１】
本発明の請求項３に記載の発明は、記憶部が記憶するキーワードを含む番組を電子番組情報解析部が解析した場合、報知部は前記番組の放送が開始される一定時間前に報知する請求項１に記載の自動番組検出装置であり、事前に自分の趣向に応じた番組が放送されることを知ることができるという作用を有する。
【００１２】
本発明の請求項４に記載の発明は、受信したテレビ信号から電子番組情報を解析する電子番組情報解析部と、任意のキーワードを記憶する記憶部と、視聴に用いる第１のテレビ受信部と、記録に用いる少なくとも１つの第２のテレビ受信部と、前記第１のテレビ受信部が出力するテレビ信号の内容を表示あるいは出力する視聴部と、前記第２のテレビ受信部が出力するテレビ信号を録画制御する少なくとも１つの録画制御部と、前記録画制御部により録画内容が録画される少なくとも１つの録画メディアと、前記電子番組情報解析部の解析結果と前記記憶部が記憶するキーワードと前記第１のテレビ受信部との状態に応じ前記第２のテレビ受信部と前記録画制御部を制御する制御部とを備え、前記電子番組情報解析部が解析する番組情報に前記記憶部が記憶するキーワードが合致する番組情報が存在し、かつ前記番組情報と異なる番組を前記第１のテレビ受信部が出力している場合、前記制御部は前記番組情報に応じた番組を前記第２のテレビ受信部が受信するよう制御すると共に前記録画制御部が前記第２のテレビ受信部が出力するテレビ信号を前記録画メディアに録画するよう制御することを特徴とする自動番組検出装置であり、別番組を見ている場合でも自分の趣向に応じた番組を自動で録画することができるという作用を有する。
【００１３】
本発明の請求項５に記載の発明は、記憶部と、録画メディアは、共通の記録媒体である請求項４に記載の自動番組検出装置であり、キーワードと録画結果を一括して管理することができるという作用を有する。
【００１４】
以下、本発明の実施の形態について、図１と図２を用いて説明する。
【００１５】
（実施の形態１）
図１は、自動番組検出装置の第１の構成を示した図であり、図１において１はアンテナ、２はアンテナ１が受信した信号が入力されるテレビ受信部、３はテレビ受信部２が出力する映像信号を表示するモニター、４はテレビ受信部２が出力する音声信号を出力するスピーカー、５はモニター３とスピーカー４から構成される視聴部、６はアンテナ１が受信した信号が入力される電子番組情報解析部、７はキーワードを記憶する記憶部、８はテレビ受信部２の状態と電子番組情報解析部６の解析結果と記憶部７が記憶するキーワードを判断する制御部、９は制御部８の制御により報知制御を行う報知制御部、１０は報知制御部９の制御に従い報知を行う報知部である。
【００１６】
以下、図１を参照しながら動作を説明する。まず、テレビ放送局が出力する信号をアンテナ１が受信し、信号がテレビ受信部２に入力される。テレビ受信部２は、受信した信号から選択されたチャンネルの信号を復調し、映像信号と音声信号を出力する。テレビ受信部２は、一般のテレビに内蔵されている復調回路や選局回路により構成することができる。そして、テレビ受信部２が出力する映像信号はモニター３に入力され、音声信号はスピーカー４に入力され、視聴者は視聴部５の構成により、テレビ放送の内容を視聴することができる。
【００１７】
そして、アンテナ１が受信した信号は、電子番組情報解析部６にも入力され、ＥＰＧの内容が解析される。ＥＰＧの内容には、各チャンネルごとに番組の放送時刻、タイトル、出演者、内容の抄録などが含まれる。これらの内容を解析し、対応を明確にして制御部８に送信する。なお、電子番組情報解析部６は、復調回路と一般に用いられるマイコンを利用すれば実現できる。
【００１８】
次に、制御部８の動作について説明する。まず、制御部８はテレビ受信部２において選曲されているチャンネルの情報を受け取る。そして、記憶部７にあらかじめ記憶されているキーワードを読み出す。このキーワードは、視聴者が趣向に沿って入力したものである。そして、制御部８は、電子番組情報解析部６が解析したＥＰＧの内容を受信し、記憶部７に記憶されたキーワードと比較し、合致するものがあるかどうかを判定する。もし、合致するものがあれば、該当する番組のチャンネルと放送時刻を現在テレビ受信部２で選択されたチャンネルと現在の時刻を比較する。そして、もし、異なるチャンネルであり、かつ放送時刻が現在の時刻に相当すれば、報知制御部９に対して該当する番組の情報を送信する。そして、報知制御部９は報知部１０に番組の情報を報知する。なお、制御部８は一般に用いられるマイコンを利用すれば実現できる。また、報知部１０が画面表示を行う液晶などの場合、報知制御部９はキャラクタ表示用のＬＳＩを用いれば実現でき、報知部１０が音声を出力するスピーカーの場合、音声出力用ＬＳＩを用いれば実現できる。
【００１９】
以上のような動作により、視聴者は番組を視聴中に並行してキーワードに関連した番組が放送されることを知ることができる。
【００２０】
なお、図１において、報知部１０は独立した構成としたが、モニター３の一部を兼ねるようにすれば、視聴している画面内でキーワードに関連した番組が放送されることを効率的に知ることができる効果が得られる。
【００２１】
さらに、制御部８は、キーワードに関連した番組が放送される一定時間前、例えば５分前に報知部１０が報知するように報知制御部９を制御すると、視聴者は番組開始のタイミングを逃すことがないという効果が得られる。
【００２２】
（実施の形態２）
図２は、自動番組検出装置の第２の構成を示した図であり、図２において、１から８までの構成要素は、図１に示したものと全く同一のものである。また、２１は第１のテレビ受信部、２２は第２のテレビ受信部、２３は第２のテレビ受信部が出力する信号を録画するように制御する録画制御部、２４は録画制御部２３により制御され放送内容が記録される記録メディアである。
【００２３】
以下、図２を参照しながら動作を説明する。まず、第１のテレビ受信部２１と第２のテレビ受信部２２は、実施の形態１で説明したテレビ受信部２と同様の動作をする。
【００２４】
次に、制御部８は第１のテレビ受信部２１において選曲されているチャンネルの情報を受け取る。そして、記憶部７にあらかじめ記憶されているキーワードを読み出す。このキーワードは、視聴者が趣向に沿って入力したものである。そして、制御部８は、電子番組情報解析部６が解析したＥＰＧの内容を受信し、記憶部７に記憶されたキーワードと比較し、合致するものがあるかどうかを判定する。もし、合致するものがあれば、該当する番組のチャンネルと放送時刻を現在第１のテレビ受信部２１で選択されたチャンネルと現在の時刻を比較する。そして、もし、異なるチャンネルであり、かつ放送時刻が現在の時刻に相当すれば、第２のテレビ受信部２２に対して該当する番組の情報を送信する。そして、第２のテレビ受信部２２が出力する信号を録画制御部２３が記録メディア２４に記録する。なお、録画制御部２３は、記録メディア２４に応じたコントローラＬＳＩを用いれば実現でき、記録メディア２４は、磁気ディスクや光ディスクやメモリカードなどを用いれば実現できる。
【００２５】
以上のような動作により、視聴者は、キーワードに関連した番組を別の番組を視聴しながら自動で記録することができる。
【００２６】
さらに、記憶部７と記録メディア２４を同一の記憶媒体を用いると、記録される番組の情報とキーワードを関連付けて記録することなどにより利便性を向上させる効果を得ることができる。
【産業上の利用可能性】
【００２７】
本発明の自動番組検出装置は、裏番組として自分の趣向に応じた番組が放送されることを知ることができ、自分の趣向に応じた番組を自動で録画する装置として有用である。
【図面の簡単な説明】
【００２８】
【図１】自動番組検出装置の第１の構成図
【図２】自動番組検出装置の第２の構成図
【図３】従来例の構成図
【符号の説明】
【００２９】
１    アンテナ
２    テレビ受信部
３    モニター
４    スピーカー
５    視聴部
６    電子番組情報解析部
７    記憶部
８    制御部
９    報知制御部
１０    報知部
【図１】
2005033641.tif 000003
【図２】
2005033641.tif 000004
【図３】
2005033641.tif 000005